(57)【特許請求の範囲】
【請求項１】
口頸部２を起立する容器体１内へ高温液体を充填した後に、底壁12外周から起立する嵌合筒部13の上端へ外向きフランジ14を付設した弾性合成樹脂製の中栓11を口頸部内へ強制嵌合させ、該中栓嵌合の開始から外向きフランジ14が口頸部の上端面へ圧接するまでの時間的経過過程において、嵌合筒部13の中間部下端が口頸部の上端内縁に気密に接した後、該上端内縁へ中間部の上半部外面にほぼ等間隔に複数縦設した各帯状突部15下端が接するまでの間における中栓の下降により、上記高温液体から生じた容器体内液面上方の高温蒸気を高圧化させ、続いて行う中栓11押下げにより各帯状突部15外面が口頸部内面へ乗上げたときに形成される、口頸部２と中栓11との間の間隙を通って上記高圧高温蒸気を噴出させ、該噴出蒸気により上記間隙を形成する、口頸部の上部内面および上端面と、中栓嵌合筒部13の外面および外向きフランジ14下面とを殺菌することを特徴とする中栓嵌合部の殺菌方法。
【請求項２】
上記中栓外向きフランジ14の外周面から第１係合突条16を突出させると共に、上記容器体口頸部外面へ螺合させるキャップ21の第１周壁23の上部内面に第２係合突条29を周設させて、該第２係合突条上面へ第１係合突条16先端部を係合させることでキャップ21内へ中栓11を假位置決めさせておき、容器体口頸部へのキャップ螺合で中栓嵌合筒部を口頸部内面へ強制嵌合させて行う請求項１記載の中栓嵌合部の殺菌方法。
【発明の詳細な説明】
【０００１】
【発明の属する技術分野】
本発明は、中栓付き容器と、該容器における中栓嵌合部の殺菌方法とに関する。
【０００２】
【従来の技術】
弾性変形可能な合成樹脂材により形成した中栓嵌合筒部を容器体口頸部内面へ強制嵌合させ、又容器体および中栓は中栓嵌合に先だち予め加熱殺菌していた。
【０００３】
【発明が解決しようとする課題】
本発明は、容器体内へ充填させる高温液体から発生する高温蒸気を利用しての中栓嵌合部の殺菌が出来るよう中栓付き容器を形成し、又その殺菌方法を提案するものである。
【０００４】
【課題を解決するための手段】
第１の手段として口頸部２を起立する容器体１と、上記口頸部内へ底壁12外周から起立する嵌合筒部13を嵌合させ、かつ該嵌合筒部上端へ外向きフランジ14を付設した弾性合成樹脂製の中栓11とを有し、
上記嵌合筒部13の下部は、下端小外径のテーパ部に形成し、又中間部は、口頸部内径よりも僅かに大外径とすると共に該中間部の上半部外面にはほぼ等間隔に複数の帯状突部15を縦設してこれ等帯状突部の外端円を中間部外径よりも大径となし、更に上部は、上記外端円よりも小外径に形成しておき、
上記中栓11を口頸部２内へ強制嵌合させた状態では、上記帯状突部15外面が口頸部内面へ圧接して、嵌合筒部外面と口頸部内面との間に小間隙が形成されると共に、外向きフランジ14下面が口頸部上端面へ水密に圧接可能に形成した。
【０００５】
第２の手段として、口頸部２を起立する容器体１内へ高温液体を充填した後に、底壁12外周から起立する嵌合筒部13の上端へ外向きフランジ14を付設した弾性合成樹脂製の中栓11を口頸部内へ強制嵌合させ、該中栓嵌合の開始から外向きフランジ14が口頸部の上端面へ圧接するまでの時間的経過過程において、嵌合筒部13の中間部下端が口頸部の上端内縁に気密に接した後、該上端内縁へ中間部の上半部外面にほぼ等間隔に複数縦設した各帯状突部15下端が接するまでの間における中栓の下降により、上記高温液体から生じた容器体内液面上方の高温蒸気を高圧化させ、続いて行う中栓11押下げにより各帯状突部15外面が口頸部内面へ乗上げたときに形成される、口頸部２と中栓11との間の間隙を通って上記高圧高温蒸気を噴出させ、該噴出蒸気により上記間隙を形成する、口頸部の上部内面および上端面と、中栓嵌合筒部13の外面および外向きフランジ14下面とを殺菌する。
【０００６】
第３の手段として、上記第２の手段を有すると共に上記中栓外向きフランジ14の外周面から第１係合突条16を突出させると共に、上記容器体口頸部外面へ螺合させるキャップ21の第１周壁23の上部内面に第２係合突条29を周設させて、該第２係合突条上面へ第１係合突条16先端部を係合させることでキャップ21内へ中栓11を假位置決めさせておき、
容器体口頸部へのキャップ螺合で中栓嵌合筒部を口頸部内面へ強制嵌合させて行う。
【０００７】
【発明の実施の形態】
以下図面について説明すると、１は口頸部２を起立する容器体で、その口頸部外面へはキャップ螺合用雄ねじ３を付設している。容器体胴部は弾性圧搾可能であることが望ましい。
【０００８】
11は上記口頸部の上端部内へ嵌合させる中栓で、底壁12外周から嵌合筒部13を起立すると共に該嵌合筒部上端には外向きフランジ14を付設している。
【０００９】
上記嵌合筒部13の下部は、上方大外径で下端外径を口頸部２内径よりも小径のテーパ状としており、その中間部は口頸部内径よりも僅かに大外径とすると共に該中間部の上半部外面にはほぼ等間隔に複数の帯状突部15を縦設してこれ等帯状突部の外端円を上記中間部外径よりも更に大径とし、又嵌合筒部13の上部は上記外端円よりも小外径に形成している。
【００１０】
尚嵌合筒部13の中間部および上部は口頸部内径よりも大外径であるが、中栓強制嵌合により後述のように各帯状突部15外面が口頸部内面へ圧接したとき、嵌合筒部は弾性変形により縮径してその帯状突部外端円よりも小外径の嵌合筒部13の中間部および上部外面と口頸部内面との間には隙間が形成できるよう設けている。又上記外向きフランジ14外周面の上部からはほぼ等間隔に第１係合突条16を突出させている。該第１係合突条16と上記帯状突部15とは図２が示すように中栓下方からみて同一放射線上に位置させることが望ましい。但し第１係合突条16は周設させてもよい。
【００１１】
該中栓は弾性を有する合成樹脂材で形成する。尚図示例にあっては底壁12側方の上面から支持杆17を起立し、該支持杆上端に公知のプルリング18を横設している。
【００１２】
21はキャップで、頂壁22外周から容器体口頸部外面へ螺合させて第１周壁23を垂設し、又頂壁外周部下面からは既述外向きフランジ14押え用の押下げ筒24を垂下する。
【００１３】
上記第１周壁23の上部は、上向き段部26を介して小径周壁部27に形成し、該小径周壁部下端には複数の水洗用透孔28を、該透孔の周壁内面開孔位置を口頸部２の上端面とほぼ同一ないしその口頸部上端面よりも上方に位置させて穿設している。その透孔28は図示のように上向き段部26の下面外周部から上方へ縦孔部を穿設し、該縦孔部上部内に透孔28内端を開孔させて形成するとよい。このようにすると共に上記押下げ筒24を縦孔部の内方に位置させることでキャップ嵌合後に行う洗浄に際して透孔28の外面開孔から入った洗浄水を上記縦孔部によって第１周壁内下方へ導き、口頸部外面に溢れた液体等を洗浄でき、又キャップ頂壁22と中栓11との間へ洗浄水が入ることを防止することが出来る。
【００１４】
小径周壁部27下方の第１周壁部分の上部内面には第２係合突条29を周設している。該突条は既述第１係合突条16の下面へ係合させて中栓11を予めキャップ内へ假止めするための係合部をなすものであり、キャップ21を口頸部へ螺合させることで、中栓11の嵌合筒部13を口頸部内へ嵌合させた後に、キャップ21を螺脱すると、第２係合突条29が第１係合突条16を乗り越えてキャップだけが取り外され、中栓11は嵌合されたまま残るよう設けている。
【００１５】
上向き段部26上面の内端から該上向き段部上面を通ってその下方の第１周壁部分下方外面までへはローレット兼用の細溝30を多数穿設するとよく、このようにすることで洗浄水が上向き段部26およびその下方の第１周壁部分外面へ付着してそのまま残ることを防止することが出来る。又上向き段部上面の細溝部分は、後述のようにカバー43を嵌合させた際、その周壁下端面と上向き段部26との間に、透孔28への注水路を形成することとなる。
【００１６】
図示例にあっては頂壁22の側部から、図３が示すように上方からみて上下横棒部分を長くしたコ字形状の支持板31を起立し、かつその支持板の奥部内に基端部32を枢着33させてノズル34を倒伏させている。該ノズルはその枢着部を中心として起伏自在であり、起立時にはノズル孔35と連通し、又倒伏時にはノズル基端部の下面により密閉される透孔37を頂壁22に穿設している。尚38はノズル起伏用の把手である。
【００１７】
尚上記ノズルは、図示例のように起伏自在に設けたものに限るものではなく、頂壁に穿設した透孔周縁からノズルを起立させ、そのノズル上端を別に設けた口栓、ないし、後述の外キャップの天板下面で閉塞するようにしてもよい。又ノズルを設けなくても差支えない。
【００１８】
図示例にあっては又、頂板41外周から第２周壁42を垂下するカバー43を設けてその第２周壁下部を小周壁部27外面へ嵌合させており、小周壁部外面の上下方向中間部に第３係合突条36を周設し、該係合突条下面へ第２周壁下端内面へ周設した第４係合突条44上面を係合させている。
【００１９】
上記構成において、中栓嵌合部の殺菌は次のようにして行うことが出来る。
【００２０】
キャップ第１周壁23の上部内面へ予め中栓11を、第２係合突条29上面へ第１係合突条16先端部を係合させることで假位置決めさせておき、又容器体内には高温液体を充填させる。第１周壁23を口頸部外面へ螺合させることでのキャップの螺降で中栓嵌合筒部13の下部が口頸部２内へ入り、口頸部内径よりも僅かに大外径とした嵌合筒部13の中間部下端が口頸部の上端内縁へ接することで口頸部の上端面は密閉される。続いてキャップが螺降することで嵌合筒部13中間部の下半部は、帯状突部15下端が口頸部の上端内縁へ接するまで口頸部内へ圧入することとなり、該圧入により高温液体から発生した液面上方空間内の高温蒸気を加圧する。更に続いて中栓11がキャップにより押下げられることで該中栓は縮径され、図５のように各帯状突部15外面が口頸部内面へ接することで、嵌合筒部13の中間部外面と口頸部内面との間には小間隙が形成され、すると上記高温の高圧蒸気は、嵌合筒部13の外面および外向きフランジ14下面と、口頸部の内面および上端面との間を通って外方へ噴出し、該噴出時にその通路形成面を殺菌するものである。キャップ締付けにより中栓の外向きフランジ14は図６のように口頸部上面へ圧接し、このとき外向きフランジは縮径しているため、第１係合突条16の先端円は第２係合突条29の内端円よりも小径化しており、よって開蓋の際、中栓11がキャップ21と共に口頸部から外れることはない。
【００２１】
尚上記中栓嵌合部の殺菌方法は、キャップと共に中栓を口頸部内へ嵌合させることで行う必要はなく、キャップ螺合に先だって中栓嵌合を行うことで、上記殺菌を行うことも出来る。
【００２２】
【発明の効果】
本発明は既述構成とするものであり、第１の手段のように形成することで、容器体内へ高温液体を充填した後に行う中栓嵌合部の殺菌が容易となる。
【００２３】
第２の手段のように行うことで、高温液体を充填させた容器体口部内への中栓嵌合だけで中栓嵌合部を殺菌できる。
【００２４】
第３の手段のように、中栓をキャップ周壁内へ假位置決めさせておき、キャップ螺合により中栓を容器体口頸部内へ嵌合させて第２の手段の殺菌を行うことで、高温高圧の噴出蒸気を安全に排出させることが出来る。
【図面の簡単な説明】
【図１】  本発明容器をカバーおよびキャップと共に示す縦断面図である。
【図２】  図１が有する中栓の底面図である。
【図３】  図１からカバーを外して示す平面図である。
【図４】  容器体口頸部内へ、中栓下半部を嵌合させて、容器体内液面上方空間を加圧させた状態を示す要部拡大断面図である。
【図５】  図４の状態から更に中栓を下降させて、容器体口頸部と中栓との間に間隙を形成した状態を示す、要部拡大断面図である。
【図６】  容器体口頸部内へ中栓を完全に嵌合させた状態で示す、要部拡大断面図である。
【符号の説明】
11…中栓                        14…外向きフランジ
15…帯状突部                    16…第１係合突条
21…キャップ                    29…第２係合突条
43…カバー
【図１】
0003956182.tif 000002
【図２】
0003956182.tif 000003
【図３】
0003956182.tif 000004
【図４】
0003956182.tif 000005
【図５】
0003956182.tif 000006
【図６】
0003956182.tif 000007